【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
第一パネルを第二パネルに対し解放可能で閉鎖状態に固定していて、前記第二パネルは、第二パネルと固定状態の関係にあるストライカを有しているラッチであって；
ハウジングと；
アクチュエータと；さらに、
前記ハウジングの壁に旋回自在に取付けられ、また閉鎖状態と開放状態との間を旋回軸の周りに移動可能になっている歯止めであって、該歯止めは該歯止めを開放状態に付勢するための付勢手段を備えていて、また前記歯止めはアクチュエータ係合手段とストライカ係合手段と、を有しているものにおいて、前記アクチュエータ係合手段の軸は、前記ストライカ係合手段の軸から偏心されて設置され、前記歯止めが旋回されるときに前記アクチュエータ係合手段により通過される円弧よりも、前記歯止めが旋回されるときに前記ストライカ係合手段により通過される円弧の方が、前記歯止めが旋回する前記旋回軸の周囲からさらに外へ拡がるよう、前記ストライカ係合手段が大きさを決められまた設定されている、歯止めと；
を具備し、
前記アクチュエータは、前記ハウジングに旋回自在に取付けられ、歯止め解放状態と歯止め係合状態の間を移動可能であり、前記アクチュエータは、前記歯止め係合状態に前記アクチュエータを付勢するための付勢手段を備えており、また、前記アクチュエータは、歯止め係合手段を有しており、該歯止め係合手段は、前記歯止めが閉鎖状態に旋回される際に、前記歯止めにより前記アクチュエータが旋回されるように前記アクチュエータ係合手段と係合し、
前記第一と前記第二のパネルが接近しあい、前記歯止めが前記ストライカを嵌め込むとき、前記歯止めと前記アクチュエータが閉鎖状態のストライカの周囲の反対側に位置するように、前記歯止めは閉鎖状態に移動され、また前記歯止め係合手段は前記歯止めを閉鎖状態に保持し、そして前記アクチュエータの旋回運動は、前記歯止めを付勢するための前記付勢手段が前記歯止めを開放状態に回転させることを可能にし、それによって前記ラッチを前記ストライカから離れる状態にすることを可能にする；
ラッチ。
【請求項２】
トリガ手段をさらに具備していて、前記トリガ手段の旋回運動が前記アクチュエータ手段を旋回するように、前記トリガ手段は大きさを決められまた設定されていて、その結果前記歯止めを開放状態へ回転させることを可能にする、請求項１に記載のラッチ。
【請求項３】
前記歯止め付勢手段は、歯止め用スプリングである、請求項１に記載のラッチ。
【請求項４】
前記アクチュエータ付勢手段は、アクチュエータ用スプリングである、請求項１に記載のラッチ。
【請求項５】
前記歯止めと前記アクチュエータを、前記ストライカは前記歯止めに係合し、また前記アクチュエータ係合手段は前記歯止め係合手段に係合する中間状態に維持することを可能にするよう、前記歯止め係合手段と前記アクチュエータ係合手段は大きさを決められまた設定される、請求項１に記載のラッチ。
【請求項６】
前記歯止め係合手段は、第一の歯止め係合手段歯部と隣接の第二の歯止め係合手段歯部を有し、また前記アクチュエータ係合手段は、第一のアクチュエータ係合手段歯部と、隣接の第二のアクチュエータ係合手段歯部であって、前記歯止めと前記アクチュエータが中間状態にあるとき、前記第一の歯止め係合手段歯部が、前記第一のアクチュエータ係合手段歯部と前記第二のアクチュエータ係合手段歯部との間で噛合する歯部と、を有する、請求項５に記載のラッチ。
【請求項７】
前記ハウジングは開口を有し、また前記アクチュエータは第一プレートと、対向した第二プレートとを具備し、前記第一と前記第二プレートは、互いに隣接しまた互いに直接的に接触していて、その結果前記アクチュエータは二つの主要な外表面を有し、また前記二つの主要な外表面のうちの一つは前記ハウジングに面する、請求項６に記載のラッチ。
【請求項８】
前記アクチュエータ付勢手段はスプリングであり、前記スプリングは自身の両端部の各々に脚を有し、前記脚のうちの一つは前記ハウジング内の前記開口内に延びる、請求項７に記載のラッチ。
【請求項９】
前記第一プレートと前記第二プレートの一つは凹部を有し、また前記第一プレートと前記第二プレートのもう一つは、前記凹部に嵌め込むため大きさを決められまた設定されるスタッドを有し、その結果前記第一プレートと前記第二プレートは互いに対し固定され続ける、請求項７に記載のラッチ。
【請求項１０】
前記ハウジングは、ストライカを収納するためのＵ形状の切欠きを有する、請求項７に記載のラッチ。
【請求項１１】
前記ストライカ係合手段は前記歯止めの第一の部分であり、また前記アクチュエータ係合手段は前記歯止めの第二の部分であり、前記第一及び第二の部分は互いに直接的に接触し、また互いに対し固定されるようになっている、請求項６に記載のラッチ。
【請求項１２】
遊動するストライカ用ハウジングをさらに具備していて、前記遊動するストライカ用ハウジングは；
二つの向き合った端部を有している頂部と；
前記頂部の向き合った端部の各々から延びている対向側壁であって、ストライカを収納するための開口を有している前記側壁の各々において、前記側壁の各々の周縁上の二つの側壁切欠きであって、前記遊動するストライカ用ハウジングの前記頂部と前記側壁の各々の接合部とに隣接して配置されている各側壁切欠きと；
二つの遊動するストライカ用ハウジングスプリングであって、遊動するストライカ用ハウジングスプリングの各々は、前記二つの側壁の各々に対応する側壁切欠きの各々に収納されまた係合されているスプリングループを形成する二つのスプリング脚部を有していて、また遊動するストライカ用ハウジングスプリングの各々は、前記ストライカの表面に係合しまた前記二つの側壁の前記開口内に前記ストライカを心出し状態に維持するためのスプリング部分を有していて、それによって前記歯止めに前記ストライカを嵌め込む際に、前記遊動するストライカ用ハウジングスプリングが、前記二つの側壁開口内に前記ストライカの移動を可能にするスプリングと、を有している；
請求項１に記載のラッチ。
【請求項１３】
遊動するストライカ用ハウジングをさらに具備していて、前記遊動するストライカ用ハウジングは、
二つの向き合った端部を有している頂部と；
前記頂部の向き合った端部の各々から延びている対向側壁であって、
前記側壁の各々は、前記ストライカを収納するための開口と、
前記頂部を通って延び、また二つの対向側壁の間を延びる頂部スロットと、
二つの遊動するストライカ用ハウジングスプリングであって、遊動するストライカ用ハウジングスプリングの各々は、頂部の内表面を付勢するＵ形状部分を有していて、前記遊動するストライカ用ハウジングスプリングは、前記遊動するストライカ用ハウジングの外部の前記ストライカの表面に係合する二つのスプリング脚部を有していて、また前記スプリング脚部は前記二つの側壁の前記開口内に前記ストライカを心出し状態に維持していて、それによって前記歯止めに前記ストライカを嵌め込む際に、前記遊動するストライカ用ハウジングスプリングが、前記二つの側壁開口内に前記ストライカの移動を可能にするスプリングと、を有している側壁と；
を有している、請求項１に記載のラッチ。
【請求項１４】
スプリング脚部の各々は、前記スプリング脚部の端部に隣接して屈曲を有し、その結果前記屈曲と前記スプリング脚部の前記端部との間の位置と、前記屈曲と前記Ｕ形状部分との間の位置とで、前記ストライカが前記スプリング脚部に係合する、請求項１３に記載のラッチ。
【請求項１５】
遊動するストライカ用ハウジングをさらに具備していて、前記遊動するストライカ用ハウジングは、
二つの向き合っている端部を有している頂部と；
前記頂部の向き合っている端部の各々から延びている対向側壁であって、
前記側壁の各々は、前記ストライカを収納するための開口と、
前記側壁の各々の周縁上の二つの側壁隆起であって、前記遊動するストライカ用ハウジングの前記頂部と前記側壁の各々の接合部に隣接して配置されている各側壁隆起と、
を有する側壁と；
二つの遊動するストライカ用ハウジングスプリングであって、遊動するストライカ用ハウジングスプリングの各々は、前記二つの側壁の各々に対応する側壁隆起の各々に収納されまた係合されるための二つのスプリング脚部を有していて、また遊動するストライカ用ハウジングスプリングの各々は、前記ハウジングの外部で前記ストライカの表面に係合するためのコイル部分を有していて、また前記二つの側壁の前記開口内に前記ストライカを心出し状態に維持していて、それによって前記歯止めに前記ストライカを嵌め込む際に、前記遊動するストライカ用ハウジングスプリングは、前記二つの側壁開口内に前記ストライカの移動を可能にする、スプリングと；
を有している、請求項１に記載のラッチ。
【請求項１６】
前記歯止めは、第一のプレート及び第二のプレートを具備しており、前記第一のプレートは第二のプレートとは分離されていてかつ近接しており、前記第一のプレートは前記ストライカ係合手段を具備し、前記第二のプレートは前記アクチュエータ係合手段を具備している、請求項１に記載のラッチ。